(57)【特許請求の範囲】
【請求項１】
リモート無線周波数ユニットの発見及びトポロジ構成の設立の方法であって、
ベースバンドユニットが起動した後、リモート無線周波数ユニットと接続するリンクへリモート無線周波数ユニットの発見メッセージを送信し、その中にリモート無線周波数ユニットのレベル数を携帯し、且つ該レベル数を最小値に設置することと、
前記リモート無線周波数ユニットの発見メッセージを受信したリモート無線周波数ユニットがそのうちのレベル数を記憶し、且つ前記リモート無線周波数ユニットの発見メッセージにおけるレベル数に1を加えた後、前記リモート無線周波数ユニットの発見メッセージを前記リモート無線周波数ユニットと接する次のレベルのリモート無線周波数ユニットに送信することと、
レベル数を知った後のリモート無線周波数ユニットがレベル数を前記ベースバンドユニットにフィードバックすることとを含み、
これにより、リモート無線周波数ユニットの自己発見及びトポロジ構成の自己設立を実現することを含む。
【請求項２】
前記方法は、さらに、前記ベースバンドユニットが、周期的にリモート無線周波数ユニットリンクへテストメッセージを送信することを含み、
前記のレベル数を知った後のリモート無線周波数ユニットがレベル数を前記ベースバンドユニットにフィードバックするステップは、テストメッセージを受信したリモート無線周波数ユニットがテストメッセージをそれと接する次のレベルのリモート無線周波数ユニットに転送し、且つそれと接する１つ前のレベルのリモート無線周波数ユニットによってベースバンドユニットにテスト応答をトランスペアレント伝送し、それに記憶されたレベル数を携帯することを含み、
前記方法は、さらに、前記ベースバンドユニットがテスト応答を受信した後、そのうちのレベル数が新しく増加するものであると、リモート無線周波数ユニットの接続関係において対応のレベル数のリモート無線周波数ユニットを増加することを含む請求項１に記載の方法。
【請求項３】
前記ベースバンドユニットが予定時間内にリモート無線周波数ユニット接続関係における既知レベル数のリモート無線周波数ユニットからのテスト応答を受信されていないと、該レベル数のリモート無線周波数ユニットを前記リモート無線周波数ユニット接続関係の中から除去することをさらに含む請求項２に記載の方法。
【請求項４】
前記のレベル数を知った後のリモート無線周波数ユニットがレベル数を前記ベースバンドユニットにフィードバックするステップは、前記リモート無線周波数ユニットがリモート無線周波数ユニットの発見メッセージを受信した後、それと接する１つ前のレベルのリモート無線周波数ユニットによって、ベースバンドユニットへ通知メッセージをトランスペアレント伝送し、それに記憶されたレベル数を携帯することを含み、
前記方法は、さらに、前記ベースバンドユニットが通知メッセージを受信した後、そのうちのレベル数が新しく増加するものであると、リモート無線周波数ユニットの接続関係に対応のレベル数のリモート無線周波数ユニットを増加することを含む請求項１に記載の方法。
【請求項５】
前記ベースバンドユニットが予定時間内にリモート無線周波数ユニット接続関係における既知レベル数のリモート無線周波数ユニットからの通知メッセージを受信されていないと、該レベル数のリモート無線周波数ユニットを前記リモート無線周波数ユニット接続関係の中から除去することをさらに含む請求項４に記載の方法。
【請求項６】
前記のリモート無線周波数ユニットの発見メッセージを送信するステップは、前記ベースバンドユニットが周期的に前記リモート無線周波数ユニットの発見メッセージを送信すること、及び、
前記リモート無線周波数ユニットの発見メッセージにおいてリモート無線周波数ユニットの発見（RRU_Index）フィールドでリモート無線周波数ユニットのレベル数を表わし、前記RRU_Indexフィールドの値をiに設置し、リモート無線周波数ユニットが第i+1レベルであることを表わすことを含む請求項１に記載の方法。
【請求項７】
リモート無線周波数ユニットの発見及びトポロジ構成の設立のシステムであって、ベースバンドユニット及びリモート無線周波数ユニットを含み、前記リモート無線周波数ユニットが1つ又は複数であり、
前記ベースバンドユニットは、起動した後、リモート無線周波数ユニットと接続するリンクへリモート無線周波数ユニットの発見メッセージを送信し、その中にリモート無線周波数ユニットのレベル数を携帯し、且つレベル数を最小値に設置するように設置され、
前記リモート無線周波数ユニットは、前記リモート無線周波数ユニットの発見メッセージを受信した後、そのうちのレベル数を記憶し、且つ前記リモート無線周波数ユニットの発見メッセージにおけるレベル数に1を加えた後、前記リモート無線周波数ユニットの発見メッセージをそれと接する次のレベルのリモート無線周波数ユニットに送信し、及び、
そのレベル数をベースバンドユニットにフィードバックするように設置され、これにより、リモート無線周波数ユニットの自己発見及びトポロジ構成の自己設立を実現する。
【請求項８】
前記ベースバンドユニットは、さらに、周期的にリモート無線周波数ユニットと接続するリンクへテストメッセージを送信し、及びテスト応答を受信し、前記テスト応答に携帯されたレベル数が新しく増加したものであると、リモート無線周波数ユニットの接続関係において対応のレベル数のリモート無線周波数ユニットを増加するように設置され、
前記リモート無線周波数ユニットは、さらに、テストメッセージを受信した後、それを、それと接する次のレベルのリモート無線周波数ユニットに転送するように設置され、
前記リモート無線周波数ユニットは、以下の方式で、そのレベル数をベースバンドユニットにフィードバックするように設置され、
レベル数がiであるリモート無線周波数ユニットがテストメッセージを受信した後、それと接する１つ前のレベルのリモート無線周波数ユニットへテスト応答を返し、それに記憶されたレベル数を携帯し、且つ受信したテスト応答をそれと接する１つ前のレベルのリモート無線周波数ユニットにトランスペアレント伝送し、2≦i≦nであり、
レベル数が1であるリモート無線周波数ユニットがテストメッセージを受信した後、ベースバンドユニットへテスト応答を戻し、それに記憶されたレベル数を携帯し、及び、受信したテスト応答をベースバンドユニットにトランスペアレント伝送する請求項７に記載のシステム。
【請求項９】
前記ベースバンドユニットは、さらに、予定時間内にリモート無線周波数ユニット接続関係における既知レベル数のリモート無線周波数ユニットからのテスト応答を受信されていないと、該レベル数のリモート無線周波数ユニットを前記リモート無線周波数ユニットの接続関係の中から除去するように設置される請求項８に記載のシステム。
【請求項１０】
前記リモート無線周波数ユニットは、以下の方式で、そのレベル数をベースバンドユニットにフィードバックするように設置され、
レベル数がiであるリモート無線周波数ユニットがリモート無線周波数ユニットの発見メッセージを受信した後、それと接する１つ前のレベルのリモート無線周波数ユニットへ通知メッセージを送信し、それに記憶されたレベル数を携帯し、且つ受信した通知メッセージをそれと接する１つ前のレベルのリモート無線周波数ユニットにトランスペアレント伝送し、2≦i≦nであり、
レベル数が1であるリモート無線周波数ユニットがリモート無線周波数ユニットの発見メッセージを受信した後、ベースバンドユニットへ通知メッセージを送信し、それに記憶されたレベル数を携帯し、及び受信した通知メッセージをベースバンドユニットにトランスペアレント伝送し、
前記ベースバンドユニットは、さらに、通知メッセージを受信した後、そのうちのレベル数が新しく増加するものであると、リモート無線周波数ユニットの接続関係において対応のレベル数のリモート無線周波数ユニットを増加する請求項７に記載のシステム。
【請求項１１】
前記ベースバンドユニットは、さらに、予定時間内にリモート無線周波数ユニット接続関係における既知レベル数のリモート無線周波数ユニットからの通知メッセージを受信されていないと、該レベル数のリモート無線周波数ユニットを前記リモート無線周波数ユニットの接続関係の中から除去するように設置される請求項１０に記載のシステム。
【請求項１２】
前記ベースバンドユニットは、以下の方式で前記リモート無線周波数ユニットの発見メッセージを送信するように装置され、
周期的に前記リモート無線周波数ユニットの発見メッセージを送信し、
前記リモート無線周波数ユニットの発見メッセージにリモート無線周波数ユニットの発見（RRU_Index）フィールドでリモート無線周波数ユニットのレベル数を表わし、前記RRU_Indexフィールドの値をiに設置して、リモート無線周波数ユニットが第i+1レベルであることを表わす請求項７に記載のシステム。
【発明の詳細な説明】
【技術分野】
【０００１】
本発明は、無線通信システムに関し、特に無線通信システムにおける無線ユニット（RRU）の自己発見及びトポロジ構成の自己設立のシステム及び方法に関する。
【背景技術】
【０００２】
従来、図1に示すように、無線通信システムの主流の配置アーキテクチャは、ベースバンドユニット（Base Band Unit,BBU）と無線ユニットが離れて、その中間に光ファイバによって接続し、一連のメッセージによって通信する。この場合には、従来のネットワーク管理方法に従って、必ずネットワーク管理に人工でRRU及びRRUの接続状況（即ち、トポロジ構成）を添加するこそ、BBUがRRUの存在を知って、RRUとの間にメッセージ通信を行なって、RRUが正常に作動する。RRUのトポロジ構成は変化が発生すると、さらに、ネットワーク管理でもとの配置を修正する必要がある。
【０００３】
3世代の移動通信のロング・ターム・エボリューション（Long  Term  Evolution,LTE）システムにおいて、新しいネットワーク管理理念――自己組織型ネットワーク（SON）を導入しており、SONの核心考えは、できるだけネットワークに対する人工干渉を減少し、システムの自己発見、即ち、「プラグアンドプレイ」を実現でき、以上に紹介した従来のベースバンドユニット及び無線ユニットのネットワーク管理方法がSONの自己発見、自己適応の考えに反することは明らかである。
【発明の概要】
【発明が解決しようとする課題】
【０００４】
本発明が解決しようと技術問題は、BBUとRRUが離れて配置する際、RRUトポロジ構成の自己設立を実現するRRUの自己発見及びトポロジ構成の自己設立のシステム及び方法を提供する。
【課題を解決するための手段】
【０００５】
上記問題を解決するために、本発明は、リモート無線周波数ユニットの発見及びトポロジ構成の設立の方法を提供し、ベースバンドユニットが起動した後、リモート無線周波数ユニットと接続するリンクへリモート無線周波数ユニットの発見メッセージを送信し、そのうち、リモート無線周波数ユニットのレベル数を携帯し、且つ該レベル数を最小値に設置すること、前記リモート無線周波数ユニットの発見メッセージを受信したリモート無線周波数ユニットがそのうちのレベル数を記憶し、且つ前記リモート無線周波数ユニットの発見メッセージにおけるレベル数に1を加えた後、前記リモート無線周波数ユニットの発見メッセージを前記リモート無線周波数ユニットと接する次のレベルのリモート無線周波数ユニットに送信すること、レベル数を知ったリモート無線周波数ユニットがレベル数を前記ベースバンドユニットにフィードバックすること、これにより、リモート無線周波数ユニットの自己発見及びトポロジ構成の自己設立を実現すること、を含む。
【０００６】
前記方法は、さらに、前記ベースバンドユニットが、周期的にリモート無線周波数ユニットリンクへテストメッセージを送信することを含み、
前記のレベル数を知ったリモート無線周波数ユニットがレベル数を前記ベースバンドユニットにフィードバックするステップは、テストメッセージを受信したリモート無線周波数ユニットがテストメッセージをそれと接する次のレベルのリモート無線周波数ユニットに転送し、且つそれと接する１つ前のレベルのリモート無線周波数ユニットによってベースバンドユニットにテスト応答をトランスペアレント伝送し、それに記憶されたレベル数を携帯することを含み、
前記方法は、さらに、前記ベースバンドユニットがテスト応答を受信した後、そのうちのレベル数が新しく増加するものであると、リモート無線周波数ユニットの接続関係に対応のレベル数のリモート無線周波数ユニットを増加することを含む。
【０００７】
前記のレベル数を知った後のリモート無線周波数ユニットがレベル数をベースバンドユニットにフィードバックするステップは、前記リモート無線周波数ユニットがリモート無線周波数ユニットの発見メッセージを受信した後、それと接する１つ前のレベルのリモート無線周波数ユニットによって、ベースバンドユニットへ通知メッセージをトランスペアレント伝送し、それに記憶されたレベル数を携帯することを含み、
前記方法は、さらに、前記ベースバンドユニットが通知メッセージを受信した後、そのうちのレベル数が新しく増加するものであると、リモート無線周波数ユニットの接続関係に対応のレベル数のリモート無線周波数ユニットを増加することを含む。
【０００８】
前記方法は、さらに、前記ベースバンドユニットが予定時間内にリモート無線周波数ユニット接続関係における既知レベル数のリモート無線周波数ユニットからのテスト応答又は通知メッセージを受信しないと、該レベル数のリモート無線周波数ユニットを前記リモート無線周波数ユニット接続関係の中から除去することを含む。
【０００９】
前記のリモート無線周波数ユニットの発見メッセージを送信するステップは、前記ベースバンドユニットが周期的に前記リモート無線周波数ユニットの発見メッセージを送信すること、及び、
前記リモート無線周波数ユニットの発見メッセージにRRU_Indexフィールドでリモート無線周波数ユニットのレベル数を表わし、前記RRU_Indexフィールドの値をiに設置し、リモート無線周波数ユニットが第i+1レベルであることを表わすことを含む。
【００１０】
本発明は、さらに、リモート無線周波数ユニットの発見及びトポロジ構成の設立のシステムを提供し、ベースバンドユニット及びリモート無線周波数ユニットを含み、リモート無線周波数ユニットが1つ又は複数であり、
前記ベースバンドユニットは、起動した後、リモート無線周波数ユニットと接続するリンクへリモート無線周波数ユニットの発見メッセージを送信し、そのうち、リモート無線周波数ユニットのレベル数を携帯し、且つレベル数を最小値に設置するように設置され、前記リモート無線周波数ユニットは、前記リモート無線周波数ユニットの発見メッセージを受信した後、そのうちのレベル数を記憶し、且つ前記リモート無線周波数ユニットの発見メッセージにおけるレベル数に1を加えた後、前記リモート無線周波数ユニットの発見メッセージをそれと接する次のレベルのリモート無線周波数ユニットに送信し、そのレベル数をベースバンドユニットにフィードバックするように設置され、これにより、リモート無線周波数ユニットの自己発見及びトポロジ構成の自己設立を実現する。
【００１１】
前記ベースバンドユニットは、さらに、周期的にリモート無線周波数ユニットと接続するリンクへテストメッセージを送信し、及びテスト応答を受信し、テスト応答に携帯されたレベル数が新しく増加したものであると、リモート無線周波数ユニットの接続関係に対応のレベル数のリモート無線周波数ユニットを増加するように設置され、
前記リモート無線周波数ユニットは、さらに、テストメッセージを受信した後、それを、接する次のレベルのリモート無線周波数ユニットに転送するように設置され、
前記リモート無線周波数ユニットは、以下の方式で、そのレベル数をベースバンドユニットにフィードバックするように設置され、
レベル数がiであるリモート無線周波数ユニットがテストメッセージを受信した後、それと接する１つ前のレベルのリモート無線周波数ユニットへテスト応答を戻し、それに記憶されたレベル数を携帯し、且つ受信したテスト応答をそれと接する１つ前のレベルのリモート無線周波数ユニットに伝送し、2≦i≦nであり、
レベル数が1であるリモート無線周波数ユニットがテストメッセージを受信した後、ベースバンドユニットへテスト応答を戻し、それに記憶されたレベル数を携帯し、及び、受信したテスト応答をベースバンドユニットにトランスペアレント伝送する。
【００１２】
前記リモート無線周波数ユニットは、以下の方式で、そのレベル数をベースバンドユニットにフィードバックするように設置され、
レベル数がiであるリモート無線周波数ユニットがリモート無線周波数ユニットの発見メッセージを受信した後、それと接する上のレベルのリモート無線周波数ユニットへ通知メッセージを送信し、それに記憶されたレベル数を携帯し、且つ受信した通知メッセージをそれと接する１つ前のレベルのリモート無線周波数ユニットにトランスペアレント伝送し、2≦i≦nであり、
レベル数が1であるリモート無線周波数ユニットがリモート無線周波数ユニットの発見メッセージを受信した後、ベースバンドユニットへ通知メッセージを送信し、それに記憶されたレベル数を携帯し、及び受信した通知メッセージをベースバンドユニットにトランスペアレント伝送し、
前記ベースバンドユニットは、さらに、通知メッセージを受信した後、そのうちのレベル数が新しく増加するであると、リモート無線周波数ユニットの接続関係に対応のレベル数のリモート無線周波数ユニットを増加する。
【００１３】
前記ベースバンドユニットは、さらに、予定時間内にリモート無線周波数ユニット接続関係における既知レベル数のリモート無線周波数ユニットからのテスト応答又は通知メッセージを受信しないと、該レベル数のリモート無線周波数ユニットを前記リモート無線周波数ユニットの接続関係の中から除去するように設置される。
【００１４】
前記ベースバンドユニットは、以下の方式で前記リモート無線周波数ユニットの発見メッセージを送信するように装置され、
周期的に前記リモート無線周波数ユニットの発見メッセージを送信し、
前記リモート無線周波数ユニットの発見メッセージにRRU_Indexフィールドでリモート無線周波数ユニットのレベル数を表わし、前記RRU_Indexフィールドの値がiに設置され、リモート無線周波数ユニットが第i+1レベルであることを表わす。
【発明の効果】
【００１５】
前記のように、本発明は、RRUの自己発見及びトポロジ構成の自己設立のシステム及び方法を提供し、BBUとRRUが離れて配置する際、RRUトポロジ構成の自己設立を実現し、ネットワークに対する人工干渉を減少し、ネットワークのメンテナンスコストを下げるし、無線ネットワーク管理の発展傾向に合う。本発明の方案は、無線通信システム、例えばLTEに適用する。
【図面の簡単な説明】
【００１６】
【図１】BBU及びRRUの接続図である。
【図２】本発明の方法の実施フロー図である。
【図３】本発明の実施例1のフロー図である。
【図４】本発明の実施例2のフロー図である。
【発明を実施するための形態】
【００１７】
本発明は、RRUの自己発見及びトポロジ構成の自己設立のシステム及び方法を提供し、ベースバンドユニットが起動した後、リモート無線周波数ユニットリンクへ発見メッセージを送信し、そのうち、リモート無線周波数ユニットのレベル数を携帯し、且つレベル数を最小値に設置し、前記発見メッセージを受信したリモート無線周波数ユニットがそのうちのレベル数を記憶し、発見メッセージにおけるレベル数に1を加える後、前記発見メッセージをそれと接する次のレベルリモート無線周波数ユニットに送信し、レベル数を知ったリモート無線周波数ユニットがレベル数をベースバンドユニットにフィードバックする。
【００１８】
本実施例は、RRUの自己発見及びトポロジ構成の自己設立のシステムを提供し、図1に示すように、BBU、1つ又は複数のRRUを含み、
BBUがそれと接するRRUと光ファイバによって接続し、隣接のRRUの間にも光ファイバによって接続し、
BBUは、RRUと接続するリンクへRRU_Index(RRU発見)メッセージを送信することに用いられ、該メッセージは、1つのRRUレベル数を表わすフィールドを含み、例えば、RRU_Indexであってもよく、BBUがRRU_Indexメッセージを送信する際、レベル数を表わすフィールドを最小値に設置し、例えば、RRU_Indexフィールドを0に設置し、第1レベルを表わしてもよく、RRU_Indexメッセージが周期的に送信されても良い。
【００１９】
BBUは、さらに、RRUと接続するリンクへテストメッセージを送信してもよく、テストメッセージが周期的に送信されてもよく、及び、RRUが戻したテスト応答を受信し、且つテスト応答におけるレベル数によって、該RRUをRRU接続関係の対応の位置に添加することに用いられることもでき、
BBUは、さらに、RRUからの通知メッセージを受信し、且つそのうちのレベル数によって該RRUをRRU接続関係の対応の位置に添加することに用いられることもでき、
BBUは、さらに、予定時間内にRRU接続関係におけるあるレベルのRRUからのテスト応答又は通知メッセージを受信しないと、該RRUをRRU接続関係の中から除去することに用いられることもできる。
【００２０】
RRUが光ファイバによってRRU発見メッセージ（例えばRRU_Index）を受信し、そのうちのレベル数を記憶し、そのうちのRRU_Indexフィールドがiであると、それが位置しているレベル数i+1を記憶し、さらに、レベル数を表わすフィールドに1を加えてそれと接する次のレベルのRRUへRRU_Indexメッセージを送信することに用いられる。このため、第1のRRU_Indexメッセージを受信したRRUは、RRU_Indexフィールド値が0であると、該RRUのレベル数が1であり、第2のRRU_Indexメッセージを受信したRRUは、RRU_Indexフィールド値が1であると、該RRUのレベル数が2であり、そのように行なって、リンクにおける第n+1のRRU_Indexメッセージを受信するRRUは、RRU_Indexフィールド値がnであると、該RRUのレベル数がn+1である。
【００２１】
本書において「１つ前のレベルのRRU」はレベルがiのRRUであり、「次のレベルのRRU」はレベルがi＋１のRRUである。
【００２２】
レベル数がiであるRRUは、さらに、テストメッセージを受信した後、それと接する１つ前のレベルのRRU(即ちテストメッセージを送信したRRU)へテスト応答を戻し、それに記憶されたレベル数を携帯し、及び、受信したテスト応答をそれと接する１つ前のレベルのRRUにトランスペアレント伝送し、2≦i≦nであることに用いられ、
レベル数が1であるRRUは、さらに、テストメッセージを受信した後、ベースバンドユニットへテスト応答を戻し、それに記憶されたレベル数を携帯し、及び、受信したテスト応答をBBUにトランスペアレント伝送することに用いられる。
【００２３】
レベル数がiであるRRUは、さらに、RRU発見メッセージを受信した後それと接する１つ前のレベルのRRUへ通知メッセージを送信し、それに記憶されたレベル数を携帯し、及び、受信した通知メッセージをそれと接する１つ前のレベルのRRUにトランスペアレント伝送し、2≦i≦nであることに用いられ、
レベル数が1であるRRUは、さらに、RRU発見メッセージを受信した後BBUへ通知メッセージを送信し、それに記憶されたレベル数を携帯し、及び、受信した通知メッセージをBBUにトランスペアレント伝送することに用いられる。
【００２４】
本実施例は、RRUの自己発見及びトポロジ構成の自己設立の方法を提供し、該方法のステップは、以下のようである。
【００２５】
ステップ201、BBUが起動した後、RRUと接続するリンクへRRU発見メッセージ（如RRU_Index）を送信し、該メッセージは、1つのRRUレベル数を表わすフィールドを含み、例えば、RRU_Indexであってもよく、BBUがRRU_Indexメッセージを送信する際、レベル数を表わすフィールドを最小値に設置し、例えば、RRU_Indexフィールドを0に設置し第1レベルを表わしてもよく、RRU_Indexメッセージが周期的に送信しても良い。
【００２６】
ここで、RRU発見メッセージは、機能が同じである制御ワード、又は他の方式で取って代わることができる。
【００２７】
ステップ202、RRU_Indexメッセージを受信したRRUがそのうちのレベル数を取得して記憶し、例えば、RRU_Indexフィールド値がiである際、それが位置しているレベル数がi+1であることを記憶し、且つRRU_Indexメッセージをそれと接する次のレベルのRRUに送信し、そのうちのRRU_Indexフィールド値に1を加え、
具体的に、第1のRRU_Indexメッセージを受信したRRUが取得したRRU_Indexフィールド値が0であると、それが位置しているレベル数が1であり、第2のRRU_Indexメッセージを受信したRRUが取得したRRU_Indexフィールド値が1であると、それが位置しているレベル数が2であり、そうのように行なって、リンクにおける第n+1のRRU_Indexメッセージを受信したRRUは、取得したRRU_Indexフィールド値がnであると、該RRUのレベル数がn+lである。
【００２８】
ステップ203a、BBUがRRUと接続するリンクへテストメッセージを送信し、テストメッセージが周期的に送信されてもよく、テストメッセージを受信したRRUがBBUへテスト応答を戻し、そのうち、位置しているレベル数を携帯し、該テスト応答がそれと接する１つ前のレベルのRRU によってBBUにトランスペアレント伝送する。
【００２９】
ステップ203b、RRU発見メッセージを受信した後のRRUが自発的にBBUへ通知メッセージを送信し、そのうちに位置しているレベル数を携帯し、該通知メッセージが周期的に送信してもよく、該通知メッセージがそれと接する１つ前のレベルのRRUによってBBUにトランスペアレント伝送する。
【００３０】
ステップ204、BBUがテスト応答又は通知メッセージを受信した後、そのうちのレベル数が新しく増加したものであると(即ち、第1次で該レベル数のRRUが送信したメッセージを受信する)、RRU接続関係に対応のレベル数のRRUを増加する。
【００３１】
BBUは、予定時間内にRRU接続関係におけるある既知レベル数のRRUからのテスト応答又は通知メッセージを受信しないと、該RRUがもう除去されることを考え、それをRRU接続関係のデータから除去し、新しいRRU接続トポロジを形成する。該RRUの後のRRUは、送信したメッセージがBBUに転送することができなく、このため、ともに除去される。
【００３２】
さらに、本発明を説明するために、以下、レベル3のRRUを例として、発明の内容に対して詳しく説明する。
【００３３】
応用実例1、図3に示すように、
ステップ301、BBUが起動した後、周期的にRRUと接続するリンクへRRU_Indexメッセージを送信し、RRU_Indexメッセージが1つのRRU_Indexフィールドを含み、BBUが該メッセージを送信する際、RRU_Indexフィールド値が0であり、リンクの中に、RRU1がメッセージを受信する際、該フィールドの値が0であり、自己が第1レベルに位置していることを表わし、そして、RRU1がRRU_Indexに1を加えて、続けてRRU2へ送信し、RRU2がメッセージを受信する際、該フィールド値が1であり、自己が第2レベルに位置していることを表わし、1を加えた後、続けてRRU3へ送信し、RRU3がメッセージを受信する際、該フィールドの値が2であり、自己が第3レベルに位置していることを表わす。
【００３４】
ステップ302、BBUが周期的にRRUと接続するリンクへRRUテストメッセージを送信する。
【００３５】
ステップ303、RRU1は、BBUが送信したテストメッセージを受信し、該メッセージをRRU2に転送し、且つBBUへテスト応答を戻し、メッセージは、第1ステップで取得した自己がリンクに位置している位置を含む必要があり、即ち、自己が第1レベルRRUであるを説明する。
【００３６】
ステップ304、RRU2は、RRU1が転送したBBUのテストメッセージを受信し、該メッセージをRRU3に転送し、且つBBUへテスト応答を戻し、メッセージが第1ステップで取得した自己がリンクに位置しいている位置を含む必要があり、即ち、自己が第2レベルRRUであることを説明する。
【００３７】
ステップ305、RRU3は、RRU2が転送したBBUのテストメッセージを受信し、BBUへテスト応答を戻し、メッセージは、第1ステップで取得した自己がリンクに位置している位置を含む必要があり、即ち、自己が第3レベルRRUであることを説明する。
【００３８】
ステップ306、BBUは、RRUのテスト応答を受信した後、第1回であるRRUのテスト応答を受信すると、該RRUが新しく増加したものであることを考え、RRUの位置によってそれを図1に示したRRUの接続関係のデータに添加して、RRUの接続トポロジを形成することができる。
【００３９】
予定時間内にBBUがすべてリンクにおけるあるRRUのテスト応答を受信しないと、該RRUがもう除去されることを考え、それをRRU接続関係のデータから除去し、新しいRRU接続のトポロジを形成する。
【００４０】
応用実例2、図4に示すように、
ステップ401、BBUが起動した後、周期的にRRUと接続するリンクへRRU_Indexメッセージを送信し、RRU_Indexメッセージが1つのRRU_Indexフィールドを含み、BBUが該メッセージを送信する際、RRU_Indexフィールド値が0であり、リンクの中に、RRU1がメッセージを受信する際、該フィールドの値が0であり、自己が第1レベルに位置していることを表わし、そして、RRU1がRRU_Indexに1を加えて、続けてRRU2へ送信し、RRU2がメッセージを受信する際、該フィールドの値が1であり、自己が第2レベルに位置していることを表わし、1を加えた後、続けてRRU3へ送信し、RRU3がメッセージを受信する際、該フィールドの値が2であり、自己が第3レベルに位置していることを表わす。
【００４１】
ステップ402、RRU1は、自己がリンクにおけるレベルを取得した後、周期的にBBUへ通知メッセージを送信し、メッセージが第1ステップで取得した自己がリンクに位置している位置を含む必要があり、自己が第1レベルRRUであることを説明する。
【００４２】
ステップ403、RRU2は、自己がリンクにおけるレベルを取得した後、周期的にBBUへメッセージを送信し、メッセージは、第1ステップで取得した自己がリンクに位置している位置を含む必要があり、即ち、自己が第2レベルRRUであることを説明する。
【００４３】
ステップ404、RRU3は、自己がリンクにおけるレベルを取得した後、周期的にBBUへメッセージを送信し、メッセージは、第1ステップで取得した自己がリンクに位置している位置を含む必要があり、即ち、自己が第3レベルRRUであることを説明する。
【００４４】
ステップ405、BBUがRRUのメッセージを受信した後、第1回であるRRUのメッセージを受信すると、該RRUが新しく増加するものであることを考え、RRU位置によってそれを図1に示したRRU接続データベース表に添加し、RRUの接続トポロジを形成することができる。
【００４５】
予定時間内にBBUがいずれのリンクにおけるあるRRUのメッセージを受信しないと、該RRUがもう除去されることを考え、それをRRU接続データベース表の中から除去し（該RRUの後のRRUは、送信したメッセージがBBUに転送されることができないので、ともに除去される）、新しいRRU接続トポロジを形成する。
【産業上の利用可能性】
【００４６】
本発明の方案は、無線通信システム、例えばLTEに適用し、BBUとRRUが離れて配置する際、RRUトポロジ構成の自己設立を実現し、ネットワークに対する人工干渉を減少し、ネットワークのメンテナンスコストを下げるし、無線ネットワーク管理の発展傾向に合う。
【図１】
0005367163.tif 000002
【図２】
0005367163.tif 000003
【図３】
0005367163.tif 000004
【図４】
0005367163.tif 000005